(57)【要約】【課題】膨大なメモリ及び高速の演算回路を必要とすることなく、発光管アレイの輝度値のバラツキを低減することが可能な表示装置及びコンピュータプログラムを提供する。【解決手段】複数の発光管のうち少なくとも一の発光管の長手方向の複数の位置での輝度値と、複数の発光管の長手方向の同一相対位置での輝度値とを取得する。少なくとも一の発光管について取得した長手方向の複数の位置での輝度値に基づいて、発光管の長手方向における輝度値の変化度合を算出し、取得した発光管ごとの同一相対位置での輝度値及び算出した輝度値の変化度合を記憶する。記憶してある輝度値の変化度合及び発光管ごとの同一相対位置での輝度値に基づいて、複数の発光管各々の長手方向の各位置での補正輝度値を算出する。【選択図】図４
2010008648.tif 000002
【特許請求の範囲】
【請求項１】
内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置において、
前記複数の発光管のうち少なくとも一の発光管の長手方向の複数の位置での輝度値と前記複数の発光管の長手方向の同一相対位置での輝度値とを取得する輝度値取得手段と、
前記一の発光管について取得した長手方向の複数の位置での輝度値に基づいて、該一の発光管の長手方向における輝度値の変化度合を算出する輝度値変化度合算出手段と、
同一相対位置での発光管ごとの輝度値及び算出した輝度値の変化度合を記憶する輝度情報記憶手段と、
記憶してある輝度値の変化度合及び同一相対位置での発光管ごとの輝度値に基づいて、前記複数の発光管各々の長手方向の各位置での補正輝度値を算出する補正手段と
を備えることを特徴とする表示装置。
【請求項２】
前記輝度値取得手段は、
前記輝度値変化度合算出手段にて算出された輝度値の変化度合が一定である場合、
前記同一相対位置を前記長手方向の略中間にしてあることを特徴とする請求項１記載の表示装置。
【請求項３】
前記輝度値取得手段は、
前記輝度値変化度合算出手段にて算出された輝度値の変化度合が、前記一の発光管の長手方向の所定の位置を境に変動するよう算出された場合、
変動した前記変化度合ごとに前記複数の発光管の長手方向の同一相対位置での輝度値を取得するようにしてあることを特徴とする請求項１記載の表示装置。
【請求項４】
内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置において、
前記複数の発光管のうち少なくとも一の発光管の長手方向の複数の位置での輝度値と前記複数の発光管の長手方向の同一相対位置での各輝度値とを取得する輝度値取得手段と、
前記一の発光管について取得した長手方向の複数の位置での輝度値に基づいて、該発光管の長手方向における輝度値の変化度合を算出する輝度値変化度合算出手段と、
同一相対位置において、隣接する同種の発光管の輝度値よりも所定の輝度高い輝度値を有する発光管を選択する発光管選択手段と、
選択した発光管の輝度値と、該発光管から所定範囲内に配置されている同種の発光管の輝度値とに基づいて、選択した発光管ごとに所定の割合で輝度値を減算する減算情報を算出する減算情報算出手段と、
選択した発光管ごとの前記同一相対位置での輝度値、前記減算情報及び算出した輝度値の変化度合を記憶する輝度情報記憶手段と、
記憶してある輝度値の変化度合、同一相対位置での輝度値及び減算情報に基づいて、選択した発光管各々の長手方向の各位置での補正輝度値を算出する補正手段と
を備えることを特徴とする表示装置。
【請求項５】
前記複数の発光管は、赤色用、緑色用及び青色用の３色の発光管で構成され、
前記輝度値取得手段は、前記緑色用の発光管の輝度値のみを取得するようにしてあることを特徴とする請求項１乃至４のいずれか一項に記載の表示装置。
【請求項６】
内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置のコントローラで実行することが可能なコンピュータプログラムにおいて、
前記コントローラを、
前記複数の発光管のうち少なくとも一の発光管の長手方向の複数の位置での輝度値と前記複数の発光管の長手方向の同一相対位置での輝度値とを取得する輝度値取得手段、
前記一の発光管について取得した長手方向の複数の位置での輝度値に基づいて、該一の発光管の長手方向における輝度値の変化度合を算出する輝度値変化度合算出手段、
同一相対位置での発光管ごとの輝度値及び算出した輝度値の変化度合を記憶する輝度情報記憶手段、及び
記憶してある輝度値の変化度合及び同一相対位置での発光管ごとの輝度値に基づいて、前記複数の発光管各々の長手方向の各位置での補正輝度値を算出する補正手段
として機能させることを特徴とするコンピュータプログラム。
【請求項７】
内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置のコントローラで実行することが可能なコンピュータプログラムにおいて、
前記コントローラを、
前記複数の発光管のうち少なくとも一の発光管の長手方向の複数の位置での輝度値と前記複数の発光管の長手方向の同一相対位置での各輝度値とを取得する輝度値取得手段、
前記一の発光管について取得した長手方向の複数の位置での輝度値に基づいて、該発光管の長手方向における輝度値の変化度合を算出する輝度値変化度合算出手段、
同一相対位置において、隣接する同種の発光管の輝度値よりも所定の輝度高い輝度値を有する発光管を選択する発光管選択手段、
選択した発光管の輝度値と、該発光管から所定範囲内に配置されている同種の発光管の輝度値とに基づいて、選択した発光管ごとに所定の割合で輝度値を減算する減算情報を算出する減算情報算出手段、
選択した発光管ごとの前記同一相対位置での輝度値、前記減算情報及び算出した輝度値の変化度合を記憶する輝度情報記憶手段、及び
記憶してある輝度値の変化度合、同一相対位置での輝度値及び減算情報に基づいて、選択した発光管各々の長手方向の各位置での補正輝度値を算出する補正手段
として機能させることを特徴とするコンピュータプログラム。
【発明の詳細な説明】
【技術分野】
【０００１】
本発明は、複数の発光管を並列に配置してある発光管アレイを用いる発光管アレイ型表示サブモジュールを複数連結してある表示装置及びコンピュータプログラムに関し、さらに詳しくは、発光管アレイの輝度値のバラツキを低減することができる表示装置及びコンピュータプログラムに関する。
【背景技術】
【０００２】
新世代の大画面表示装置を実現する技術として、内部に放電ガスが封入された複数の発光管を並列に配置してある発光管アレイ型表示サブモジュールが開発されている。発光管アレイ型表示サブモジュールを複数接続して大画面対応の発光管アレイ型表示システムモジュールを構成し、発光管アレイ型表示システムモジュールに駆動回路、電源回路等を組み込むことで、大型表示パネルを製造するための大規模な設備投資が不要で、画質が均質となる表示装置を提供することができる。
【０００３】
一般に発光管アレイ型表示装置は、発光管アレイを、一定の大きさを有するサブモジュールフレームと呼ばれる構造体に一体化した発光管アレイ型表示サブモジュールを作成し、複数の発光管アレイ型表示サブモジュールを接続することで大画面を構成することができる。ここで、「発光管アレイ型表示サブモジュール」とは、発光管を含めた上述のような表示フィルム部品であって、駆動回路、電源回路等を含まない表示パネルの半完成品を意味している。図１は、従来の発光管アレイ型表示サブモジュールの発光管アレイの構成を模式的に示す斜視図である。図１（ａ）は、発光管アレイ型表示サブモジュールの発光管アレイの構成を模式的に示す斜視図であり、図１（ｂ）は、発光管アレイ型表示サブモジュールの発光管アレイの構成を部分的に示す斜視図である。
【０００４】
図１（ａ）に示すように、従来の発光管アレイ型表示サブモジュールは、矩形画面の一部を構成する発光管アレイ型表示サブモジュールであることから、矩形形状を有しており、内部に放電ガスが封入された複数の発光管１３１、１３１、・・・を並列に配置している。並列に配置された発光管１３１、１３１、・・・は、発光管１３１、１３１、・・・の長手方向に沿って配設されているアドレス電極１３２、１３２、・・・を有するアドレス電極シート１３３と、発光管１３１、１３１、・・・の長手方向に略直交する方向に配設されている表示電極対１３４、１３４、・・・を有する表示電極シート１３５とに挟持されることで発光管アレイ型表示サブモジュールを構成している。
【０００５】
複数の表示電極対１３４、１３４、・・・は、発光管アレイ型表示サブモジュールの表示面側に、発光管１３１、１３１、・・・の長手方向と直交する方向にストライプ状に設けられており、隣接する表示電極１３４、１３４間で発光管１３１、１３１、・・・において表示放電を発生させることができるものであれば、特に限定されるものではない。  アドレス電極１３２、１３２、・・・は、発光管アレイ型表示サブモジュールの背面側に、発光管１３１、１３１、・・・の長手方向に沿って発光管１３１ごとに設けられ、表示電極対１３４、１３４、・・・との交差部に発光セルを形成する発光セル選択用のものであれば、特に限定されるものではない。
【０００６】
上記構成において、発光管アレイ型表示サブモジュールをカラー表示対応とする場合には、図１（ｂ）に示すように、発光管１３１ごとに単色の蛍光体層１３６、例えば赤色（Ｒ）用の蛍光体層１３６Ｒ、緑色（Ｇ）用の蛍光体層１３６Ｇ、青色（Ｂ）用の蛍光体層１３６Ｂを有する。ＲＧＢ３色の発光管１３１、１３１、１３１を一組として一つの画素を構成することで、カラー表示に対応することができる。
【０００７】
各色用の発光管１３１、１３１、１３１は、発光管１３１の構造上、複数の発光管１３１、１３１、・・・全てについて輝度が完全に均一に製造することは困難である。全てのガラス管の形状・厚み、蛍光体層の形状・厚み、等の発光管構造要素を全て均一にすれば、輝度は均一となるが、これら発光管構造要素を誤差を許さずに製造するのは良品率の低下、工数増加等を通じてコストアップにつながり現実的ではない。発光管アレイ型表示サブモジュールとして構成する場合、色ごとに、例えば複数の赤色（Ｒ）用の発光管１３１が配置された位置同士の間で輝度差が生じ、発光管１３１が並列に配置された並列方向の輝度のバラツキの原因となる。色ごとの発光管が配置された位置同士の間で輝度差が生じることにより、ＲＧＢ３色の発光管１３１、１３１、１３１を一組として構成される画素間で色バランスが異なることになり、複数の発光管１３１、１３１、・・・が並列に配置された並列方向の色のバラツキ（色ムラ）として知覚される。
【０００８】
なお、発光管１３１の長手方向では、隣接する発光セル間の輝度差が小さく、例えば輝度値が徐々に上昇する輝度値の変化度合を示す。発光管１３１の長手方向と比較して、複数の発光管１３１、１３１、・・・が並列に配置された並列方向では、隣接する発光セル間の輝度差が大きくなり、急峻な輝度変化を示す輝度値の変化度合となる。したがって、並列方向で特に輝度のバラツキが知覚されやすいという問題がある。
【０００９】
表示素子の発光輝度のバラツキを補正するため、例えば特許文献１では、表示素子個々の発光輝度のバラツキを補正する補正データを記憶手段に格納し、表示素子を駆動するときは対応するドライバに補正データを供給するようにしている。発光輝度のバラツキが補正された状態で表示を駆動することができる。
【００１０】
また、例えば特許文献２では、表示装置に一様の画像を表示して各表示用素子の輝度を検出し、各表示用素子の輝度目標値を算出し、各表示用素子の輝度目標値に基づいて各表示用素子についての輝度補正計数を算出することにより、多数の表示ユニットを配列して大画面の表示装置を構成した場合に、表示ユニット間の輝度値のバラツキや継ぎ目を目立たせないようにし、画質の向上も図っている。
【特許文献１】特開平１１−３４４９４９号公報
【特許文献２】特開２００４−８６１６５号公報
【発明の開示】
【発明が解決しようとする課題】
【００１１】
しかし、特許文献１及び２では、いずれも全ての表示素子の輝度データを検出し、各輝度データに基づいて各表示素子の輝度を補正する補正データを表示素子ごとに有するようにしているので、特にハイビジョン画像等では相当な補正データを記憶し、該補正データによって処理する必要がある。ハイビジョン画像は、１９２０×１０８０＝２０７３６００個の画素で表示される。各画素について、例えば６４段階の輝度差情報を有する場合、ＲＧＢ３色の全画素では２０７３６００×３（subpix）×６(bit)(６４階調)＝３７３２４８００（bit）＝４６６５６００（byte）となり約４．６Ｍバイトの情報量となる。６０Ｈｚのテレビジョンフレームの場合、４６６５６００（byte）×６０（Ｈｚ）＝２７９９３６０００（byte）で毎秒約２８０Ｍバイトの情報量を処理する必要があり、処理のためには膨大なメモリ及び高速の演算回路を必要とする。
【００１２】
輝度補正のために、膨大なメモリ及び高速の演算回路による処理労力を費やすことは、現実的ではなく、実際には極めて困難である。
【００１３】
本発明は斯かる事情に鑑みてなされたものであり、膨大なメモリ及び高速の演算回路を必要とすることなく、発光管アレイの輝度値のバラツキを低減することが可能な表示装置及びコンピュータプログラムを提供することを目的とする。
【課題を解決するための手段】
【００１４】
上記目的を達成するために第１発明に係る表示装置は、内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置において、前記複数の発光管のうち少なくとも一の発光管の長手方向の複数の位置での輝度値と前記複数の発光管の長手方向の同一相対位置での輝度値とを取得する輝度値取得手段と、前記一の発光管について取得した長手方向の複数の位置での輝度値に基づいて、該一の発光管の長手方向における輝度値の変化度合を算出する輝度値変化度合算出手段と、同一相対位置での発光管ごとの輝度値及び算出した輝度値の変化度合を記憶する輝度情報記憶手段と、記憶してある輝度値の変化度合及び同一相対位置での発光管ごとの輝度値に基づいて、前記複数の発光管各々の長手方向の各位置での補正輝度値を算出する補正手段とを備えることを特徴とする。
【００１５】
第１発明では、複数の発光管のうち少なくとも一の発光管の長手方向の複数の位置での輝度値と複数の発光管の長手方向の同一相対位置での輝度値とを取得し、一の発光管について取得した長手方向の複数の位置での輝度値に基づいて、該一の発光管の長手方向における輝度値の変化度合を算出する。同一相対位置での発光管ごとの輝度値及び算出した輝度値の変化度合を記憶し、記憶してある輝度値の変化度合及び同一相対位置での発光管ごとの輝度値に基づいて、複数の発光管各々の長手方向の各位置での補正輝度値を算出する。並列に配置されて発光管アレイを構成する複数の発光管は、発光管の長手方向の輝度の変化度合が一定であり、発光管の長手方向の相対位置に対して輝度値を略同じ傾きを持つ直線で近似することができる。発光管アレイを構成する複数の発光管のうち少なくとも一の発光管の輝度値の変化度合と、発光管アレイを構成する全ての発光管の同一相対位置での輝度値とを用いて全ての発光管の輝度値の変化度合を把握することができ、発光管アレイの輝度値のバラツキを低減することが可能となる。したがって、膨大なメモリ及び高速の演算回路を必要とすることなく、少なくとも一の発光管の輝度値の変化度合及び全ての発光管の同一相対位置での輝度値のみを用いることで、表示装置の全画素の画像データの輝度を補正することが可能となる。
【００１６】
また、第２発明に係る表示装置は、第１発明において、前記輝度値取得手段は、前記輝度値変化度合算出手段にて算出された輝度値の変化度合が一定である場合、前記同一相対位置を前記長手方向の略中間にしてあることを特徴とする。
【００１７】
第２発明では、算出された輝度値の変化度合が一定である場合、同一相対位置を長手方向の略中間にしてある。並列に配置されて発光管アレイを構成する複数の発光管が、発光管の長手方向の相対位置に対して輝度値の変化度合が一定である場合であっても、発光管によって傾きに若干の違いがあるため、発光管の長手方向の位置によって複数の発光管同士の間で輝度差が変動する。すなわち、複数の発光管の長手方向の両端付近では、中間と比較して輝度差がより小さく又は大きくなる。したがって、輝度差が中間的な値となる複数の発光管の長手方向の略中間の輝度値を、各発光管を代表する輝度値として取得することにより、複数の発光管が若干傾きが異なる直線で示される輝度値の変化度合を有する場合であっても、発光管の両端での補正のずれを抑制して適正に補正することが可能となる。
【００１８】
また、第３発明に係る表示装置は、第１発明において、前記輝度値取得手段は、前記輝度値変化度合算出手段にて算出された輝度値の変化度合が、前記一の発光管の長手方向の所定の位置を境に変動するよう算出された場合、変動した前記変化度合ごとに前記複数の発光管の長手方向の同一相対位置での輝度値を取得するようにしてあることを特徴とする。
【００１９】
第３発明では、算出された輝度値の変化度合が、一の発光管の長手方向の所定の位置を境に変動するよう算出された場合、変動した変化度合ごとに複数の発光管の長手方向の同一相対位置での輝度値を取得する。並列に配置された複数の発光管が、発光管の長手方向の一端から所定の相対位置まで、略同じ傾きを持つ第一の直線で示される輝度値の変化度合を有し、所定の相対位置から他端までは、第一の直線とは異なる略同じ傾きを持つ第二の直線で示される輝度値の変化度合を有する場合がある。したがって、並列に配置されて発光管アレイを構成する複数の発光管が、発光管の長手方向の所定の位置を境に変化度合が変動する場合には、変動した変化度合ごとに複数の発光管の長手方向の同一相対位置での輝度値を取得することにより、傾きの変動に合わせて適正に補正することが可能となる。
【００２０】
また、第４発明に係る表示装置は、内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置において、前記複数の発光管のうち少なくとも一の発光管の長手方向の複数の位置での輝度値と前記複数の発光管の長手方向の同一相対位置での各輝度値とを取得する輝度値取得手段と、前記一の発光管について取得した長手方向の複数の位置での輝度値に基づいて、該発光管の長手方向における輝度値の変化度合を算出する輝度値変化度合算出手段と、同一相対位置において、隣接する同種の発光管の輝度値よりも所定の輝度高い輝度値を有する発光管を選択する発光管選択手段と、選択した発光管の輝度値と、該発光管から所定範囲内に配置されている同種の発光管の輝度値とに基づいて、選択した発光管ごとに所定の割合で輝度値を減算する減算情報を算出する減算情報算出手段と、選択した発光管ごとの前記同一相対位置での輝度値、前記減算情報及び算出した輝度値の変化度合を記憶する輝度情報記憶手段と、記憶してある輝度値の変化度合、同一相対位置での輝度値及び減算情報に基づいて、選択した発光管各々の長手方向の各位置での補正輝度値を算出する補正手段とを備えることを特徴とする。
【００２１】
第４発明では、複数の発光管のうち少なくとも一の発光管の長手方向の複数の位置での輝度値と複数の発光管の長手方向の同一相対位置での各輝度値とを取得し、一の発光管について取得した長手方向の複数の位置での輝度値に基づいて、該発光管の長手方向における輝度値の変化度合を算出する。同一相対位置において、隣接する同種の発光管の輝度値よりも所定の輝度高い輝度値を有する発光管を選択し、選択した発光管の輝度値と、該発光管から所定範囲内に配置されている同種の発光管の輝度値とに基づいて、選択した発光管ごとに所定の割合で輝度値を減算する減算情報を算出する。選択した発光管ごとの同一相対位置での輝度値、減算情報及び算出した輝度値の変化度合を記憶し、記憶してある輝度値の変化度合、同一相対位置での輝度値及び減算情報に基づいて、選択した発光管各々の長手方向の各位置での補正輝度値を算出する。いわゆるマッハ効果により、一の発光管と該発光管の近くに存在する発光管との輝度差は、離れた位置に存在する発光管と同じ輝度差であっても、離れた位置に存在する発光管との輝度差より大きく視認されやすい。したがって、輝度差を大きく視認しやすい位置に存在する発光管の輝度値のみを補正することにより、補正に要するメモリ量を削減することができるとともに、影響が大きい位置に存在する発光管との輝度差を効果的に低減することが可能となる。
【００２２】
また、第５発明に係る表示装置は、第１乃至第４発明のいずれか１つにおいて、前記複数の発光管は、赤色用、緑色用及び青色用の３色の発光管で構成され、前記輝度値取得手段は、前記緑色用の発光管の輝度値のみを取得するようにしてあることを特徴とする。
【００２３】
第５発明では、複数の発光管が赤色用、緑色用及び青色用の発光管で構成され、緑色用の発光管の輝度値のみを取得するようにしてあるので、輝度差を視認しやすい緑色用の発光管の輝度値のみを補正することにより、補正に要するメモリ量を削減することができるとともに、影響が大きい緑色用の発光管の輝度差を効果的に低減することが可能となる。
【００２４】
また、第６発明に係るコンピュータプログラムは、内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置のコントローラで実行することが可能なコンピュータプログラムにおいて、前記コントローラを、前記複数の発光管のうち少なくとも一の発光管の長手方向の複数の位置での輝度値と前記複数の発光管の長手方向の同一相対位置での輝度値とを取得する輝度値取得手段、前記一の発光管について取得した長手方向の複数の位置での輝度値に基づいて、該一の発光管の長手方向における輝度値の変化度合を算出する輝度値変化度合算出手段、同一相対位置での発光管ごとの輝度値及び算出した輝度値の変化度合を記憶する輝度情報記憶手段、及び記憶してある輝度値の変化度合及び同一相対位置での発光管ごとの輝度値に基づいて、前記複数の発光管各々の長手方向の各位置での補正輝度値を算出する補正手段として機能させることを特徴とする。
【００２５】
第６発明では、複数の発光管のうち少なくとも一の発光管の長手方向の複数の位置での輝度値と複数の発光管の長手方向の同一相対位置での輝度値とを取得し、一の発光管について取得した長手方向の複数の位置での輝度値に基づいて、該一の発光管の長手方向における輝度値の変化度合を算出する。同一相対位置での発光管ごとの輝度値及び算出した輝度値の変化度合を記憶し、記憶してある輝度値の変化度合及び同一相対位置での発光管ごとの輝度値に基づいて、複数の発光管各々の長手方向の各位置での補正輝度値を算出する。並列に配置されて発光管アレイを構成する複数の発光管は、発光管の長手方向の輝度の変化度合が一定であり、発光管の長手方向の相対位置に対して輝度値を略同じ傾きを持つ直線で近似することができる。発光管アレイを構成する複数の発光管のうち少なくとも一の発光管の輝度値の変化度合と、発光管アレイを構成する全ての発光管の同一相対位置での輝度値とを用いて全ての発光管の輝度値の変化度合を把握することができ、発光管アレイの輝度値のバラツキを低減することが可能となる。したがって、膨大なメモリ及び高速の演算回路を必要とすることなく、少なくとも一の発光管の輝度値の変化度合及び全ての発光管の同一相対位置での輝度値のみを用いることで、表示装置の全画素の画像データの輝度を補正することが可能となる。
【００２６】
また、第７発明に係るコンピュータプログラムは、内部に放電ガスが封入された複数の発光管を並列に配置してあり、アドレス電極が形成してあるアドレス電極シートと、表示電極が形成してある表示電極シートとの間に前記複数の発光管を挟持してある発光管アレイを用いる発光管アレイ型表示サブモジュールを縦横に複数連結した表示装置のコントローラで実行することが可能なコンピュータプログラムにおいて、前記コントローラを、前記複数の発光管のうち少なくとも一の発光管の長手方向の複数の位置での輝度値と前記複数の発光管の長手方向の同一相対位置での各輝度値とを取得する輝度値取得手段、前記一の発光管について取得した長手方向の複数の位置での輝度値に基づいて、該発光管の長手方向における輝度値の変化度合を算出する輝度値変化度合算出手段、同一相対位置において、隣接する同種の発光管の輝度値よりも所定の輝度高い輝度値を有する発光管を選択する発光管選択手段、選択した発光管の輝度値と、該発光管から所定範囲内に配置されている同種の発光管の輝度値とに基づいて、選択した発光管ごとに所定の割合で輝度値を減算する減算情報を算出する減算情報算出手段、選択した発光管ごとの前記同一相対位置での輝度値、前記減算情報及び算出した輝度値の変化度合を記憶する輝度情報記憶手段、及び記憶してある輝度値の変化度合、同一相対位置での輝度値及び減算情報に基づいて、選択した発光管各々の長手方向の各位置での補正輝度値を算出する補正手段として機能させることを特徴とする。
【００２７】
第７発明では、複数の発光管のうち少なくとも一の発光管の長手方向の複数の位置での輝度値と複数の発光管の長手方向の同一相対位置での各輝度値とを取得し、一の発光管について取得した長手方向の複数の位置での輝度値に基づいて、該発光管の長手方向における輝度値の変化度合を算出する。同一相対位置において、隣接する同種の発光管の輝度値よりも所定の輝度高い輝度値を有する発光管を選択し、選択した発光管の輝度値と、該発光管から所定範囲内に配置されている同種の発光管の輝度値とに基づいて、選択した発光管ごとに所定の割合で輝度値を減算する減算情報を算出する。選択した発光管ごとの同一相対位置での輝度値、減算情報及び算出した輝度値の変化度合を記憶し、記憶してある輝度値の変化度合、同一相対位置での輝度値及び減算情報に基づいて、選択した発光管各々の長手方向の各位置での補正輝度値を算出する。いわゆるマッハ効果により、一の発光管と該発光管の近くに存在する発光管との輝度差は、離れた位置に存在する発光管と同じ輝度差であっても、離れた位置に存在する発光管との輝度差より大きく視認されやすい。したがって、輝度差を大きく視認しやすい位置に存在する発光管の輝度値のみを補正することにより、補正に要するメモリ量を削減することができるとともに、影響が大きい位置に存在する発光管との輝度差を効果的に低減することが可能となる。
【発明の効果】
【００２８】
上記のように、並列に配置されて発光管アレイを構成する複数の発光管は、発光管の長手方向の輝度の変化度合が一定であり、発光管の長手方向の相対位置に対して輝度値を略同じ傾きを持つ直線で近似することができる。発光管アレイを構成する複数の発光管のうち少なくとも一の発光管の輝度値の変化度合と、発光管アレイを構成する全ての発光管の同一相対位置での輝度値とを用いて全ての発光管の輝度値の変化度合を把握することができ、発光管アレイの輝度値のバラツキを低減することが可能となる。したがって、膨大なメモリ及び高速の演算回路を必要とすることなく、少なくとも一の発光管の輝度値の変化度合及び全ての発光管の同一相対位置での輝度値のみを用いることで、表示装置の全画素の画像データの輝度を補正することが可能となる。
【発明を実施するための最良の形態】
【００２９】
以下、本発明の実施の形態に係る表示装置について、図面に基づいて詳細に説明する。
【００３０】
（実施の形態１）
図２は、本発明の実施の形態１に係る表示装置の構成を示す模式図である。図２に示すように本実施の形態１に係る表示装置１は、駆動ユニット２と、発光管アレイ型表示サブモジュールを縦横に複数接続してなる発光管アレイ型表示システムモジュール３とで構成される。駆動ユニット２は、少なくともコントローラ２１、Ｘドライバ２３、スキャンドライバ２４、Ｙ共通ドライバ２５、及びアドレスドライバ２６で構成されている。駆動ユニット２には、ＴＶチューナ、コンピュータ等の外部装置から輝度レベル（階調レベル）を示す画素単位のフィールドデータを含む画像データが、各種の同期信号とともに入力される。
【００３１】
発光管アレイ型表示システムモジュール３は、駆動ユニット２と接続され、複数の表示電極３４、３４、・・・は表示画面の行方向に延び、各表示電極対３４はサステイン電極Ｘ３４１とスキャン／サステイン電極Ｙ３４２との対で構成される。表示電極３４とアドレス電極３２とが交差する領域を発光セルとし、各発光セルの内で表示電極対３４間の放電によって発光させるべきセルを選択するに際し、スキャン／サステイン電極Ｙ３４２は、行単位にセルを選択するスキャン電極として用いられる。アドレス電極３２は列方向に延びており、列単位にセルを選択するための電極として用いられる。
【００３２】
コントローラ２１は、データ処理回路２２１及びメモリ２２２を備え、上述の各種ドライバを制御するとともに、メモリ２２２に記憶されているフィールドデータ、補正情報に基づくデータ処理回路２２１での輝度値の補正処理を制御する。コントローラ２１の機能構成については後述する。
【００３３】
図３は、本発明の実施の形態１に係る表示装置１の発光管アレイ型表示システムモジュール３を構成する発光管アレイ型表示サブモジュールの発光管アレイの構成を模式的に示す斜視図である。図３（ａ）は、発光管アレイ型表示サブモジュールの発光管アレイの構成を模式的に示す斜視図であり、図３（ｂ）は、発光管アレイ型表示サブモジュールの発光管アレイの構成を部分的に示す斜視図であり、図３（ｃ）は、発光管アレイ型表示サブモジュールを縦横に接続した状態を示す斜視図である。
【００３４】
図３（ａ）に示すように、本実施の形態１に係る発光管アレイ型表示サブモジュールは、矩形画面の一部を構成する表示サブモジュールであることから、矩形形状を有しており、内部に放電ガスが封入された複数の発光管３１、３１、・・・を並列に配置している。発光管３１、３１、・・・はガラス製の放電細管であり、管体となる細管の径は、特に大きさが限定されるものではないが、直径０．５〜５ｍｍ程度であることが望ましい。細管の形状は、円形の断面、扁平楕円状の断面、方形の断面等、どのような形状の断面を有していてもよい。また、発光管３１、３１、・・・の内部にはネオン、キセノン等の放電ガスが所定の割合で所定の圧力で封入されている。
【００３５】
並列に配置された発光管３１、３１、・・・は、発光管３１、３１、・・・の長手方向に配設されているアドレス電極３２、３２、・・・を有するアドレス電極シート３３と、発光管３１、３１、・・・の長手方向に略直交する方向に配設されている表示電極対３４、３４、・・・を有する表示電極シート３５とに挟持されることで発光管アレイ型表示サブモジュールを構成している。表示電極シート３５はフレキシブルシートであり、例えばポリカーボネートフィルム、ＰＥＴ（ポリエチレンテレフタレート）フィルム等で構成されている。
【００３６】
複数の表示電極対３４、３４、・・・は、発光管アレイ型表示サブモジュールの表示面側に、発光管３１、３１、・・・の長手方向と直交する方向にストライプ状に設けられており、隣接する表示電極３４、３４間で発光管３１、３１、・・・において表示放電を発生させることができるものであれば、特に限定されるものではない。本実施の形態１では、表示電極対３４は、サステイン電極Ｘ３４１とスキャン／サステイン電極Ｙ３４２との対で構成される。表示電極３４は、当該分野で公知の各種の材料を用いて形成することができる。表示電極３４に用いられる材料としては、例えば、ＩＴＯ（酸化錫ドープ酸化インジウム）、ＳｎＯ2  等の透明な導電性材料や、Ａｇ、Ａｕ、Ａｌ、Ｃｕ、Ｃｒ等の金属の導電性材料が挙げられる。
【００３７】
表示電極３４の形成方法としては、当該分野で公知の各種の方法を適用することができる。例えば、印刷等の厚膜形成技術を用いて形成しても良いし、物理的堆積法又は化学的堆積法からなる薄膜形成技術を用いて形成しても良い。厚膜形成技術としては、スクリーン印刷法等が挙げられる。薄膜形成技術のうち、物理的堆積法としては、蒸着法、スパッタ法等が挙げられる。化学的堆積法としては、熱ＣＶＤ法、光ＣＶＤ法、あるいはプラズマＣＶＤ法等が挙げられる。
【００３８】
アドレス電極３２、３２、・・・は、発光管アレイ型表示サブモジュールの背面側に、発光管３１、３１、・・・の長手方向に沿って発光管３１ごとに設けられ、表示電極対３４、３４、・・・との交差部に発光セルを形成する発光セル選択用のものであれば、特に限定されるものではない。アドレス電極３２も、当該分野で公知の各種の材料と方法とを用いて形成することができる。
【００３９】
上記構成において、発光管アレイ型表示サブモジュールをカラー表示対応とする場合には、図３（ｂ）に示すように、発光管３１ごとに単色の蛍光体層３６、例えば赤色（Ｒ）用の蛍光体層３６Ｒ、緑色（Ｇ）用の蛍光体層３６Ｇ、青色（Ｂ）用の蛍光体層３６Ｂを有する。ＲＧＢ３色の発光管３１、３１、３１を一組として一つの画素を構成することで、カラー表示に対応することができる。なお、蛍光体層３６は、赤色（Ｒ）用の蛍光体層３６Ｒでは、紫外線照射により赤色発光する（Ｙ、Ｇｄ）ＢＯ3 ：Ｅｕ3+等の蛍光体材料を用いる。緑色（Ｇ）用の蛍光体層３６Ｇでは、緑色発光するＺｎ2 ＳｉＯ4 ：Ｍｎ等の蛍光体材料を用い、青色（Ｂ）用の蛍光体層３６Ｂでは、青色発光するＢａＭｇＡｌ12Ｏ17：Ｅｕ2+等の蛍光体材料を用いる。
【００４０】
図３（ｃ）は、上述した発光管アレイ型表示サブモジュールを縦横に接続する様子を模式的に示す斜視図である。図３（ｃ）では、４枚の発光管アレイ型表示サブモジュールから１枚の大画面の発光間アレイ型表示システムモジュールを構成しており、１枚１枚の発光管アレイ型表示サブモジュールは、駆動回路、電源回路等を含まない半完成品である。大画面用の表示モジュールを構成した段階で、全体を一つの表示フィルムとして駆動回路、電源回路等を組み込むことで、発光管アレイ型表示サブモジュールごとに表示画像の品質のバラツキが少ない大画面の発光管アレイ型表示システムモジュールを構成することができる。
【００４１】
図４は、コントローラ２１の機能構成を示すブロック図である。図４に示すように、コントローラ２１は、並列に配置されて発光管アレイを構成する複数の発光管３１、３１、・・・のうち少なくとも一の発光管３１の長手方向の複数の位置での輝度値と、複数の発光管３１、３１、・・・の長手方向の同一相対位置での輝度値とを取得する輝度値取得手段２１１、少なくとも一の発光管３１について取得した長手方向の複数の位置での輝度値に基づいて、該発光管３１の長手方向における輝度値の変化度合を算出する輝度値変化度合算出手段２１２、取得した発光管３１ごとの同一相対位置での輝度値及び算出した輝度値変化度合をメモリ２２２に記憶する輝度情報記憶手段２１３、並びにメモリ２２２に記憶してある輝度値の変化度合及び発光管３１ごとの同一相対位置での輝度値に基づいて、複数の発光管各々の長手方向の各位置（相対位置）での補正輝度値を算出する補正手段２１４を備える。なお、輝度値変化度合算出手段２１２及び補正手段２１４の機能は、ハードウェア構成のデータ処理回路２２１が担う。
【００４２】
上述のように発光管３１、３１、・・・は、管径０．５〜５ｍｍ程度の細管であり、発光管３１ごとに放電ガスを封入して両端を封止している。したがって、発光管３１の構造上、複数の発光管３１、３１、・・・の輝度値が均一になるように製造することは困難である。
【００４３】
図５は、発光管３１、３１、・・・の輝度値が異なる状態を模式的に示す例示図である。図５（ａ）は、ＲＧＢ各色について複数の発光管３１、３１、・・・の輝度値が異なる状態を示し、図５（ｂ）は、色ごとに輝度値が異なる複数の発光管３１、３１、・・・を、各色順に並列に配置した発光管アレイを示し、図５（ｃ）は、図５（ｂ）の発光管アレイの輝度値を補正した後の状態を示す。図５（ａ）に示すように、複数の発光管３１、３１、・・・は、色ごとに輝度値が高い発光管３１、輝度値が低い発光管３１、輝度値が中程度の発光管３１等、様々な輝度値に製造される。
【００４４】
図５（ｂ）に示すように、図５（ａ）のような様々な輝度値に製造された複数の発光管３１、３１、・・・で、発光管アレイを構成するため各色順に並列に配置すると、色ごとに並列に配置された位置間で輝度差が生じ、発光管３１が並列に配置された並列方向の発光管アレイの輝度のバラツキとなる。色ごとの位置間で輝度差が生じることにより、ＲＧＢ３色の発光管３１、３１、３１を一組として構成される画素間で色バランスが異なることになり、複数の発光管３１、３１、・・・が並列方向の色のバラツキとして視認される。図５（ｂ）に示すような輝度値のバラツキがある発光管アレイであっても、各発光管３１の輝度値を補正して一定の輝度値に近似させることにより、図５（ｃ）に示すように発光管アレイの輝度値のバラツキを低減する。
【００４５】
上述のように発光管３１の構造上、各発光管３１の輝度値が異なるため、発光管アレイの並列方向には輝度値のバラツキがあるが、各発光管３１の長手方向では、相対位置に応じて輝度値が単調増加する傾向にある。したがって、同一発光管内にて隣接する発光セル間では輝度値が少しずつ上昇するよう推移する輝度値の変化度合を示す。図６は、発光管３１の長手方向の輝度値の変化度合の第一例を説明する例示図である。図６（ａ）は、色ごとに輝度値が異なる複数の発光管３１、３１、・・・を各色順に並列に配置した発光管アレイを示し、図６（ｂ）は、Ｒ用の複数の発光管３１、３１、・・・の長手方向の輝度値の変化度合を示す。図６（ａ）に示す発光管アレイを構成するＲ１用の発光管３１の長手方向Ｌの輝度値の変化度合は、図６（ｂ）に示すように、長手方向Ｌを横軸、輝度値を縦軸として、切片ｂｒ1、傾きａｒを有する直線に近似される。Ｒ２、Ｒ３、Ｒ４用の発光管３１、３１、３１の長手方向Ｌの輝度値の変化度合についても、Ｒ１と同様、切片は各々ｂr２、ｂr３、ｂr４、と異なるが、略同じ傾きａｒを有する直線に近似される。
【００４６】
図６の例では、並列に配置されて発光管アレイを構成するＲ用の複数の発光管３１、３１、・・・の長手方向Ｌの輝度値の変化度合は、略同じ傾きａｒの直線状になり、輝度値は徐々に上昇する方向に推移する。各Ｒ用の発光管３１の輝度値の変化度合は、直線の傾きａｒ及び切片ｂｒｘで示される。各Ｒ用の発光管３１の輝度値の変化度合を示す直線は、略同じ傾きａｒを有するため、少なくともＲ用の一の発光管３１の輝度値の変化度合に基づいて直線の傾きａｒを算出することができ、全てのＲ用の発光管３１、３１、・・・の輝度値の変化度合を示す直線の傾きａｒを求めることができる。また全てのＲ用の発光管３１、３１、・・・の長手方向Ｌの同一相対位置、例えば位置Ｌ１での各輝度値が分かれば、位置Ｌ１での各輝度値と傾きａｒとから、Ｒ用の発光管３１ごとの切片ｂｒｘを算出することができる。なお、Ｒ用の一の発光管３１の輝度値の変化度合は、例えば発光管３１の長手方向Ｌの複数の位置で測定した複数の輝度値に基づいて算出する。
【００４７】
図７は、発光管３１の長手方向の輝度値の変化度合の第二例を説明する例示図である。図７（ａ）は、色ごとに輝度値が異なる複数の発光管３１、３１、・・・を各色順に並列に配置した発光管アレイを示し、図７（ｂ）は、Ｒ用の複数の発光管３１、３１、・・・の長手方向の輝度値の変化度合を示す。図６に示す輝度値の変化度合のように、並列に配置されて発光管アレイを構成する複数の発光管３１、３１、・・・が、発光管３１の長手方向に切片ｂｒｘは異なるが略同じ傾きａｒを持つ直線で示され、輝度値の変化度合が一定の場合であっても、図７（ｂ）に示すように、発光管３１によって傾きに若干の違いがある。なお、図７（ｂ）では傾きの違いが明確になるように誇張して示している。傾きに違いがあるため、複数の発光管３１、３１、・・・の長手方向Ｌの位置によって複数の発光管３１、３１、・・・間の輝度差が変動する。すなわち、複数の発光管３１、３１、・・・の長手方向の両端付近Ｌ１、Ｌ２では、中間Ｌｍと比較して輝度差がより小さく又は大きくなる。したがって、輝度差が中間的な値となる略中間の輝度値を、各発光管３１を示す輝度値として取得することにより、複数の発光管３１、３１、・・・が異なる輝度値の変化度合を有する場合であっても、発光管３１、３１、・・・の両端での補正のずれを抑制して適正に補正することができる。
【００４８】
なお、視野の中心では輝度のバラツキ（輝度ムラ）を周辺より強く視認し、また視認した輝度ムラの程度によって視野全体の輝度ムラの印象が左右される。発光管アレイを並列方向に接続して表示フィルムを形成する場合には、発光管３１、３１、・・・の長手方向の中間が視野の中心となるので、上述のように略中間の輝度値を取得することによって、輝度ムラを認識し難くなるという効果も期待できる。
【００４９】
上述の発光管３１、３１、・・・の輝度値の変化度合の特性は、Ｒ用の複数の発光管３１、３１、・・・だけでなく、Ｇ用及びＢ用の複数の発光管３１、３１、・・・についても同様である。したがって、本実施の形態１に係る表示装置１では、ＲＧＢ各色について、少なくとも一の発光管３１の長手方向Ｌの複数の位置での輝度値と、複数の発光管３１、３１、・・・の長手方向の同一相対位置での輝度値とを取得する。取得した一の発光管３１の長手方向Ｌの複数の位置での輝度値から輝度値の変化度合を算出し、取得した発光管ごとの同一相対位置での輝度値及び算出した輝度値の変化度合を記憶する。
【００５０】
次に、上述した構成の表示装置１の動作について、フロ−チャートに基づいて詳細に説明する。図８は、本発明の実施の形態１に係る表示装置１の駆動ユニット２のコントローラ２１の処理手順を示すフローチャートである。
【００５１】
図８に示すように駆動ユニット２のコントローラ２１は、ＲＧＢ各色について、発光管アレイを構成する各色用の複数の発光管３１、３１、・・・のうちいずれか一の発光管３１の長手方向Ｌの複数の位置での輝度値を取得する（ステップＳ８０１）。コントローラ２１は、色ごとに取得した一の発光管３１の長手方向の複数の位置での輝度値に基づいて、一の発光管３１の長手方向における輝度値の変化度合を算出し（ステップＳ８０２）、メモリ２２２に記憶する（ステップＳ８０３）。輝度値の変化度合は、発光管３１の長手方向の相対位置における輝度値の変化を一次近似した直線の切片情報及び傾き情報として算出することができる。
【００５２】
コントローラ２１は、ＲＧＢ各色について、算出した各色の一の発光管３１の長手方向Ｌにおける輝度値の変化度合に基づいて、発光管アレイを構成する各色用の複数の発光管３１、３１、・・・の長手方向Ｌの同一相対位置、例えば図７（ｂ）に示す位置Ｌｍでの輝度値を取得し（ステップＳ８０４）、メモリ２２２に記憶する（ステップＳ８０５）。なお、各輝度値だけでなく、発光管３１を識別する情報及び発光管の長手方向Ｌにおける相対位置に関する情報も輝度値に対応付けて記憶される。
【００５３】
コントローラ２１は、メモリ２２２に記憶した色ごとの輝度値の変化度合及び発光管３１ごとの同一相対位置での輝度値に基づいて、発光管アレイを構成する発光管各々の長手方向の各相対位置での補正輝度値を算出する（ステップＳ８０６）。具体的には、輝度値の変化度合及び発光管３１ごとの同一相対位置での輝度値に基づいて、発光管アレイを構成する全ての発光管３１、３１、・・・の長手方向の各相対位置での輝度値を算出し、算出した輝度値を用いて、メモリ２２２に記憶されている全画素の画像データ、すなわち発光管アレイを構成する全発光管３１、３１、・・・によって形成される全画素の輝度値を補正する。
【００５４】
以上のように本実施の形態１によれば、並列に配置されて発光管アレイを構成する複数の発光管３１、３１、・・・は、発光管３１、３１、・・・の長手方向において同様の輝度値の変化度合を有するので、少なくとも一の発光管３１の輝度値の変化度合と、発光管アレイを構成する全ての発光管３１、３１、・・・の同一相対位置での輝度値とを用いることで、全ての発光管３１、３１、・・・の輝度値の変化度合を把握することができ、発光管アレイの輝度値のバラツキを低減することが可能となる。したがって、膨大なメモリ及び高速の演算回路を必要とすることなく、少なくとも一の発光管３１の輝度値の変化度合及び全ての発光管３１、３１、・・・の同一相対位置での輝度値だけに基づいて、発光管アレイを構成する全発光管３１、３１、・・・における全画素の輝度値を補正することが可能となる。
【００５５】
特に、輝度差が中間的な値となる複数の発光管３１、３１、・・・の長手方向の略中間の輝度値を、各発光管３１を示す輝度値として取得することにより、複数の発光管３１、３１、・・・にて異なる輝度値の変化度合を有する場合であっても、発光管３１、３１、・・・の両端付近の位置での補正のずれを抑制して適正に補正することが可能となる。
【００５６】
なお、実施の形態１では、ＲＧＢ３色の全ての色用の発光管３１、３１、・・・について色ごとに輝度値を取得するようにしているが、輝度差を視認しやすい緑色（Ｇ）用の発光管３１、３１、・・・の輝度値のみ取得するようにしても良い。補正に要するメモリ量を削減することができるからである。
【００５７】
（実施の形態２）
本発明の実施の形態２に係る表示装置１のハードウェア構成は、実施の形態１と同様であることから、同一の符号を付することにより詳細な説明を省略する。また本実施の形態２に係る表示装置１の駆動ユニット２のコントローラ２１の機能構成は、実施の形態１と同様であることから、同一の符号を付することにより、詳細な説明は省略する。
【００５８】
本実施の形態２では、駆動ユニット２のコントローラ２１は、輝度値の変化度合が、発光管３１の長手方向の所定の位置を境に異なる変化度合となるよう算出された場合、変化度合ごとに複数の発光管３１、３１、・・・の長手方向の同一相対位置での輝度値を取得する点で実施の形態１と相違する。図９は、発光管３１の長手方向の輝度値の変化度合の第三例を説明する例示図である。図９（ａ）は、色ごとに輝度値が異なる複数の発光管３１、３１、・・・を各色順に並列に配置した発光管アレイを示し、図９（ｂ）は、Ｒ用の複数の発光管３１、３１、・・・の長手方向の輝度値の変化度合を示す。
【００５９】
図９（ｂ）に示すように、並列に配置されて発光管アレイを構成する複数の発光管３１、３１、・・・が、発光管３１の長手方向Ｌの所定の位置Ｌｃを境に変化度合が変動している。具体的には、発光管３１の長手方向Ｌの一端Ｌ０から所定の位置Ｌｃまで、切片ｂｒｘが異なって略同じ傾きａｒ１を持つ第一の直線で示される輝度値の変化度合を有し、所定の位置Ｌｃから他端Ｌ１００までは、切片ｃｒｘが異なって第一の直線とは異なる略同じ傾きａｒ２を持つ第二の直線で示される輝度値の変化度合を有している。すなわち、発光管３１の長手方向Ｌの位置に対して発光管３１の長手方向Ｌの所定の位置Ｌｃから一端Ｌ０側と他端Ｌ１００側とで異なる傾きａｒ１、ａｒ２を有する２つの直線で輝度値の変化度合が示されている。したがって、輝度値の変化度合ごとに複数の発光管３１、３１、・・・の長手方向の同一相対位置での輝度値を取得する、すなわち一端Ｌ０から傾きが変わる所定の位置Ｌｃまでの間の第一の同一相対位置Ｌ１と、傾きが変わる所定の位置Ｌｃから他端Ｌ１００までの間の第二の同一相対位置Ｌ２との２箇所の同一相対位置で、全ての複数の発光管３１、３１、・・・の各輝度値を取得することにより、傾きの変動に合わせて適正に補正することができる。
【００６０】
図１０は、本発明の実施の形態２に係る表示装置１の駆動ユニット２のコントローラ２１の処理手順を示すフローチャートである。図１０に示すように駆動ユニット２のコントローラ２１は、ＲＧＢ各色について、発光管アレイを構成する各色用の複数の発光管３１、３１、・・・のうちいずれか一の発光管３１の長手方向Ｌの複数の位置での輝度値を取得する（ステップＳ１００１）。コントローラ２１は、色ごとに取得した一の発光管３１の長手方向の複数の位置での輝度値に基づいて、一の発光管３１の長手方向における輝度値の変化度合を算出し（ステップＳ１００２）、メモリ２２２に記憶する（ステップＳ１００３）。本実施の形態２では、傾きが異なる２つの直線の組み合わせとして、それぞれ切片情報と傾き情報とが算出される。
【００６１】
コントローラ２１は、ＲＧＢ各色について、算出した各色の一の発光管３１の長手方向Ｌにおける輝度値の変化度合、例えば所定の位置Ｌｃから一端Ｌ０側と他端Ｌ１００側とで異なる傾きａｒ１、ａｒ２を有する輝度値の変化度合に基づいて、発光管アレイを構成する各色用の複数の発光管３１、３１、・・・について、例えば図９（ｂ）に示す一端Ｌ０側の同一相対位置Ｌ１と、他端Ｌ１００側の同一相対位置Ｌ２との２個所の同一相対位置Ｌ１及びＬ２での輝度値を取得し（ステップＳ１００４）、メモリ２２２に記憶する（ステップＳ１００５）。
【００６２】
コントローラ２１は、メモリ２２２に記憶した色ごとの輝度値の変化度合及び発光管３１ごとの２箇所の同一相対位置での輝度値に基づいて、発光管アレイを構成する発光管各々の長手方向の各相対位置での補正輝度値を算出する（ステップＳ１００６）。具体的には、記憶されている２つの輝度値の変化度合及び発光管３１ごとの２箇所の同一相対位置での輝度値に基づいて、発光管アレイを構成する全ての発光管の長手方向の各位置での輝度値を算出し、算出した輝度値を用いて、メモリ２２２に記憶されている全画素の画像データ、すなわち発光管アレイを構成する全発光管３１、３１、・・・によって形成される全画素の輝度値を補正する。
【００６３】
以上のように本実施の形態２によれば、並列に配置されて発光管アレイを構成する複数の発光管３１、３１、・・・が、発光管３１、３１、・・・の長手方向の所定の位置を境に異なる輝度値の変化度合を有する場合には、変化度合ごとに複数の発光管３１、３１、・・・の長手方向の同一相対位置での輝度値を取得することにより、傾きの変動に合わせて適正に輝度値を補正することが可能となる。
【００６４】
（実施の形態３）
本発明の実施の形態３に係る表示装置１のハードウェア構成は、実施の形態１と同様であることから、同一の符号を付することにより詳細な説明を省略する。図１１は、本発明の実施の形態３に係る表示装置１の駆動ユニット２のコントローラ２１の機能構成を示すブロック図である。図１１に示すように本実施の形態３に係る表示装置１の駆動ユニット２のコントローラ２１の機能構成は、実施の形態１と同様であることから、同一の機能構成には同一の符号を付することにより、詳細な説明は省略する。
【００６５】
ただし本実施の形態３では、駆動ユニット２のコントローラ２１は、同一相対位置において、隣接する同種の発光管の輝度値よりも所定の輝度高い輝度値を有する発光管を選択する発光管選択手段２１６と、選択した発光管の輝度値と、該発光管から所定範囲内に配置されている同種の発光管の輝度値とに基づいて、選択した発光管ごとに所定の割合で輝度値を減算する減算情報を算出する減算情報算出手段２１７を備え、輝度情報記憶手段２１３は、選択した発光管ごとの同一相対位置での輝度値、減算情報及び算出した輝度値の変化度合をメモリ２２２に記憶する。
【００６６】
図１２は、Ｒ用の複数の発光管３１、３１、・・・から輝度差が大きい位置の発光管を選択する基準の一例を説明するための例示図である。図１２には、発光管アレイに並列に配置されたＲ用の複数の発光管３１、３１、・・・の長手方向の同一相対位置での輝度値を配置された順に示している。図１２において、例えばＲ３用の発光管３１とＲ４用の発光管３１とは、Ｒ用の発光管としては隣接しているが、発光管アレイ上では間にＧ用の発光管、Ｂ用の発光管を挟んでおり、実際には２つの発光管分の間隔を有している。ここで、Ｒ３用の発光管３１とＲ４用の発光管３１との間の輝度差Ｄ１と、Ｒ６用の発光管３１とＲ９用の発光管３１との間の輝度差Ｄ２が同一であっても、いわゆるマッハ効果により、発光管３１、３１の距離がより短い発光管３１、３１間の輝度差Ｄ１の方が、距離が長い発光管３１、３１間の輝度差Ｄ２よりも大きいと視認される。
【００６７】
すなわち、離れたところにある発光管３１、３１間の輝度差は、輝度値のバラツキとして認識され難く、ＲＧＢ３色の発光管を一組として構成される画素間でも色ムラとして認識され難い。したがって、輝度差を視認しやすい近くに存在する発光管３１、３１の輝度値のみを補正することにより、補正に要するメモリ量を削減することができるとともに、色ムラを効果的に抑制することが可能となる。
【００６８】
具体的には、図１２に示すように、発光管アレイに並列に配置された同種のＲ用の複数の発光管３１、３１、・・・の長手方向の同一相対位置での各輝度値のうち、隣接する同種の発光管３１との輝度差Ｄ１が所定の閾値を超えるＲ３用及びＲ４用の発光管３１を選び、Ｒ３用及びＲ４用の発光管３１同士の間で輝度値が高い方のＲ３用の発光管３１の輝度値を選択する。選択したＲ３用の発光管３１についてのみ補正するため、Ｒ３用の発光管３１の輝度値のみをメモリ２２２に記憶する。ただし、輝度差の比較対象となるＲ２用、Ｒ４用等の発光管３１の輝度値はメモリ２２２に記憶しないので、どの程度輝度値を低く又は高く補正するべきか判断できない。そこで、選択したＲ３用の発光管３１の輝度値と、該発光管３１から所定の範囲内にある同種の発光管３１、３１、・・・の輝度値とに基づいて、選択した発光管３１ごとに所定の割合で輝度値を減算する減算情報を算出し、減算情報をＲ３用の発光管３１の輝度値とともに記憶する。例えば、図１２に示すように、Ｒ３用の発光管３１の輝度値がＲ２用の発光管３１の輝度値とＲ４用の発光管３１の輝度値との中間値になるように、Ｒ３用の発光管３１の輝度値を所定の割合で減算する減算情報を記憶する。
【００６９】
なお、減算情報を算出する場合、隣接する発光管３１の輝度値だけでなく、２本先、３本先等、選択した発光管３１から所定管数の範囲内にある同種の発光管３１、３１、・・・の輝度値に基づいて、減算情報を算出するようにしても良い。対象範囲を広げることにより、より輝度値のバラツキを低減することができる。また、同様に対象を広げる趣旨で、発光管３１を選択する際にも、上述のように隣接する同種の発光管３１との輝度差だけでなく、３管以上の発光管３１、３１、・・・の輝度差を比較するようにしても良い。図１３は、Ｒ用の複数の発光管３１、３１、・・・から輝度差が大きい位置の発光管３１を選択する基準の他の例を説明するための例示図である。なお図１３には、図１２と同じ輝度値例を示している。
【００７０】
図１３に示すように、２本先までの発光管３１、３１、・・・との輝度差を比較する場合、Ｒ３用の発光管３１とＲ４用の発光管３１との輝度差Ｄ１の他、Ｒ２とＲ４との輝度差Ｄ３、及びＲ４とＲ６との輝度差Ｄ４が所定の閾値を超えているので、Ｒ２とＲ６との輝度値を減算するようにする。その際、Ｒ２及びＲ３の輝度値を同時に減算するが、Ｒ１の輝度値からＲ１とＲ４との輝度差の１／３の輝度値分だけ減算した輝度値になるようにＲ２を減算し、Ｒ１の輝度値からＲ１とＲ４との輝度差の２／３の輝度値分だけ減算した輝度値になるようにＲ３を減算する。Ｒ１からＲ４まで同じ程度に輝度値が変化するので、輝度値のバラツキを視認し難くすることができる。また、Ｒ３とＲ４との輝度差をＲ２とＲ３との輝度差よりも小さくすることにより、より近くに位置する発光管３１、３１間の輝度差を、より離れて位置する発光管３１、３１間の輝度差より小さくすることができ、上述したマッハ効果により、輝度値のバラツキを色ムラとして視認し難くすることができる。
【００７１】
図１４は、本発明の実施の形態３に係る表示装置１の駆動ユニット２のコントローラ２１の処理手順を示すフローチャートである。図１４に示すように駆動ユニット２のコントローラ２１は、ＲＧＢ各色について、発光管アレイを構成する各色用の複数の発光管３１、３１、・・・のうちいずれか一の発光管３１の長手方向Ｌの複数の位置での輝度値を取得する（ステップＳ１４０１）。コントローラ２１は、色ごとに取得した一の発光管３１の長手方向の複数の位置での輝度値に基づいて、各色用の一の発光管３１の長手方向における輝度値の変化度合を算出し（ステップＳ１４０２）、メモリ２２２に記憶する（ステップＳ１４０３）。
【００７２】
コントローラ２１は、ＲＧＢ各色について、算出した各色用の一の発光管３１の長手方向Ｌにおける輝度値の変化度合に基づいて、発光管アレイを構成する各色用の複数の発光管３１、３１、・・・の長手方向Ｌの同一相対位置での輝度値を取得する（ステップＳ１４０４）。
【００７３】
コントローラ２１は、ＲＧＢ各色について、同一相対位置において、隣接する同種の発光管３１、３１、・・・の輝度値よりも所定の輝度高い輝度値を有する発光管３１を選択する（ステップＳ１４０５）。コントローラ２１は、選択した発光管３１の輝度値と、該発光管３１から所定の範囲内にある同種の発光管３１、３１、・・・の輝度値とに基づいて、選択した発光管３１ごとに所定の割合で輝度値を減算する減算情報を算出し（ステップＳ１４０６）、メモリ２２２に記憶する（ステップＳ１４０７）。
【００７４】
コントローラ２１は、メモリ２２２に記憶した色ごとの輝度値の変化度合、選択した発光管３１ごとの同一相対位置での輝度値及び減算情報に基づいて、発光管アレイを構成する全ての発光管３１、３１、・・・のうち選択した発光管３１各々の長手方向の各相対位置での補正輝度値を算出する（ステップＳ１４０８）。具体的には、輝度値の変化度合及び選択した発光管３１ごとの同一相対位置での輝度値に基づいて、発光管アレイを構成する発光管３１、３１、・・・のうち選択した発光管３１、３１、・・・の長手方向の各位置での輝度値を算出し、算出した輝度値を減算情報に従って所定の割合で減算し、減算した輝度値を用いて、メモリ２２２に記憶されている選択された発光管３１、３１、・・・によって形成される画素の輝度値を補正する。
【００７５】
選択された発光管３１によって形成される画素のうち、一の画素について、実際に入力される画像データに対して、補正後画像データを生成する手順について説明する。図１５は、図１２で例示したＲ３用の発光管３１の減算情報の例示図である。図１５では、１５１がＲ３用の発光管３１の長手方向の相対位置における輝度値変化を、１５２がＲ４用の発光管３１の長手方向の相対位置における輝度値変化を、それぞれ示している。図１５に示すように、Ｒ３用の発光管３１は隣接するＲ４用の発光管３１に対して輝度値を減らすよう補正するため、減算情報算出手段２１７によって減算情報Ｓ３が算出される。図１５の例では、発光管３１の長手方向Ｌのどの相対位置においてもＲ３用の発光管３１の全画素について同一の減算情報Ｓ３を用いる場合を示している。
【００７６】
減算情報Ｓ３を用いて、補正手段２１４は、入力画像データに対して輝度値を補正する。図１６は、図１２で例示したＲ３用の発光管３１の輝度値補正の例示図である。図１６では、入力画像データを０（ゼロ）から２５５までのピクセルデータ（８ビット、フルカラー）としている。
【００７７】
図１６に示すように、入力画像データの輝度値がｍである場合、減算情報Ｓ３に対して、新たな補正輝度値Ｄｍが算出される。補正輝度値Ｄｍは、入力画像データの輝度値に応じて０（ゼロ）からＳ３まで変動する。補正輝度値Ｄｍの算出は、例えば一般に用いられるルックアップテーブルを用い、減算情報Ｓ３と入力画像データの輝度値ｍの値とに基づいて補正輝度値Ｄｍを参照すれば良い。減算情報Ｓ３、輝度値ｍは、ともに限定的な整数値であるため、ルックアップテーブルを用いて算出することが容易である。
【００７８】
図１６に示す処理により、補正手段２１４は、Ｒ３用の発光管３１の入力画像データ１６１から補正輝度値Dmを減算することで、Ｒ３用の発光管３１の補正後画像データ１６２を算出する。補正手段２１４での補正処理は、上記処理に限定されるものではなく、例えば減算情報Ｓ３の輝度値に応じた傾きＳ３／２５６を傾き補正係数として算出しておき、（補正後画像データ）＝（入力画像データ）×（Ｓ３／２５６）×ｍと乗算することで補正輝度値を算出しても良い。
【００７９】
以上のように本実施の形態３によれば、実施の形態１及び２と同様、少なくとも一の発光管３１の輝度値の変化度合と、取得した発光管３１、３１、・・・の同一相対位置での輝度値とだけから、取得した発光管３１、３１、・・・の輝度値の変化度合を把握することができる。しかも同一相対位置において、隣接する同種の発光管３１、３１、・・・の輝度値よりも所定の輝度高い輝度値を有する発光管３１を選択し、選択した発光管３１の輝度値のみを、所定の割合で輝度値を減算する減算情報とともに記憶しておくことにより、取得した複数の発光管３１、３１、・・・の長手方向の同一相対位置での輝度値の全てを記憶することなく、選択した発光管３１の各々の長手方向の各相対位置での補正輝度値を算出することができる。したがって、輝度差を視認しやすい位置の発光管３１、３１、・・・の輝度値のみを補正することにより、補正に要するメモリ量を削減することができるとともに、色ムラ等の発生を効果的に低減することが可能となる。
【００８０】
その他、本発明の趣旨の範囲内であれば多種の変形、置換等が可能であることは言うまでもない。
【図面の簡単な説明】
【００８１】
【図１】従来の発光管アレイ型表示サブモジュールの発光管アレイの構成を模式的に示す斜視図である。
【図２】本発明の実施の形態１に係る表示装置の構成を示す模式図である。
【図３】本発明の実施の形態１に係る表示装置の発光管アレイ型表示システムモジュールを構成する発光管アレイ型表示サブモジュールの発光管アレイの構成を模式的に示す斜視図である。
【図４】コントローラの機能構成を示すブロック図である。
【図５】発光管の輝度値が異なる状態を模式的に示す例示図である。
【図６】発光管の長手方向の輝度値の変化度合の第一例を説明する例示図である。
【図７】発光管の長手方向の輝度値の変化度合の第二例を説明する例示図である。
【図８】本発明の実施の形態１に係る表示装置の駆動ユニットのコントローラの処理手順を示すフローチャートである。
【図９】発光管の長手方向の輝度値の変化度合の第三例を説明する例示図である。
【図１０】本発明の実施の形態２に係る表示装置の駆動ユニットのコントローラの処理手順を示すフローチャートである。
【図１１】本発明の実施の形態３に係る表示装置の駆動ユニットのコントローラの機能構成を示すブロック図である。
【図１２】Ｒ用の複数の発光管から輝度差が大きい位置の発光管を選択する基準の一例を説明するための例示図である。
【図１３】Ｒ用の複数の発光管から輝度差が大きい位置の発光管を選択する基準の他の例を説明するための例示図である。
【図１４】本発明の実施の形態３に係る表示装置の駆動ユニットのコントローラの処理手順を示すフローチャートである。
【図１５】Ｒ３用の発光管の減算情報の例示図である。
【図１６】Ｒ３用の発光管の輝度値補正の例示図である。
【符号の説明】
【００８２】
１  表示装置
２  駆動ユニット
３  発光管アレイ型表示システムモジュール
２１  コントローラ
３１  発光管
３２  アドレス電極
３４  表示電極（対）
２１１  輝度値取得手段
２１２  輝度値変化度合算出手段
２１３  輝度情報記憶手段
２１４  補正手段
２２２  メモリ
【図１】
2010008648.tif 000003
【図２】
2010008648.tif 000004
【図３】
2010008648.tif 000005
【図４】
2010008648.tif 000006
【図５】
2010008648.tif 000007
【図６】
2010008648.tif 000008
【図７】
2010008648.tif 000009
【図８】
2010008648.tif 000010
【図９】
2010008648.tif 000011
【図１０】
2010008648.tif 000012
【図１１】
2010008648.tif 000013
【図１２】
2010008648.tif 000014
【図１３】
2010008648.tif 000015
【図１４】
2010008648.tif 000016
【図１５】
2010008648.tif 000017
【図１６】
2010008648.tif 000018